(57)【要約】      （修正有）【課題】廉価で、複雑性の減少したネイチブおよびドッキングステーションＤＶＩコネクタをサポートするシステムおよび方法を提供する。【解決手段】表示情報を発生するハウジング中の処理コンポーネントと、処理コンポーネントと接続されＤＶＯ信号として表示情報を出力するグラフィックコンポーネントと、ＤＶＯ信号を受信するようにグラフィックコンポーネントと接続し、２つの出力を有するマルチプレクサ30と、第１のマルチプレクサ出力と接続されＤＶＯ信号を送信する第１のＴＭＤＳ送信機32と、第１のＴＭＤＳ送信機32と接続され外部ディスプレイにハウジングにおけるＤＶＩ出力を与える第１のＤＶＩコネクタ14と、第２のマルチプレクサ出力と接続されてＤＶＩ出力としてＤＶＯ信号を送信する第２のＴＭＤＳ送信機34と、第２のＴＭＤＳ送信機34と接続されてドッキングステーションへハウジングでＤＶＩ出力を与えるドッキングコネクタ22, 24とを備える。【選択図】図２
2005129039.tif 000002
【特許請求の範囲】
【請求項１】
ハウジングと、
このハウジング中に配置されて表示情報を発生するように動作する処理コンポーネントと、
処理コンポーネントとインターフェースされ、ＤＶＯ信号として表示情報を出力するように動作するグラフィックコンポーネントと、
ＤＶＯ信号を受信するようにグラフィックコンポーネントとインターフェースし、第１および第２の選択可能な出力を有するマルチプレクサと、
第１の選択可能なマルチプレクサ出力とインターフェースされ、ＤＶＩ出力としてＤＶＯ信号を送信するように動作する第１のＴＭＤＳ送信機と、
第１のＴＭＤＳ送信機とインターフェースされ、外部ディスプレイにハウジングにおいてＤＶＩ出力を与えるように動作する第１のＤＶＩコネクタと、
第２の選択可能なマルチプレクサ出力とインターフェースされ、ＤＶＩ出力としてＤＶＯ信号を送信するように動作する第２のＴＭＤＳ送信機と、
第２のＴＭＤＳ送信機とインターフェースされ、ドッキングステーションに対してハウジングにおいてＤＶＩ出力を与えるように動作するドッキングコネクタとを具備している情報処理システム。
【請求項２】
さらに、前記ハウジングに結合されてドッキングコネクタを受けるように動作可能なドッキングステーションと、
ドッキングコネクタとインターフェースされ、外部ディスプレイに対してドッキングステーションにおいてＤＶＩ出力を与えるように動作する第２のＤＶＩコネクタとを具備している請求項１記載の情報処理システム。
【請求項３】
さらに、ドッキングステーション中への情報処理システムの挿入を決定するように動作可能なドッキングステーション検出器と、
ドッキングステーション検出器およびマルチプレクサとインターフェースされ、ハウジングがドッキングステーションに結合されていない場合に第１のＴＭＤＳ送信機を選択し、ハウジングがドッキングステーションに結合されている場合に第２のＴＭＤＳ送信機を選択するように動作するスイッチとを具備している請求項２記載の情報処理システム。
【請求項４】
マルチプレクサと、第１および第２のＴＭＤＳ送信機とは用途特定集積回路として製作されている請求項３記載の情報処理システム。
【請求項５】
グラフィックコンポーネントは、グラフィックおよびメモリ制御装置ハブを備えている請求項３記載の情報処理システム。
【請求項６】
グラフィックコンポーネントは、グラフィックプロセッサ装置を備えている請求項３記載の情報処理システム。
【請求項７】
さらに、ハウジングがドッキングステーションに結合されていないときに表示情報を与えるために第１のＤＶＩコネクタとインターフェースするように動作するプロジェクタを備えている請求項３記載の情報処理システム。
【請求項８】
さらに、ハウジングがドッキングステーションに結合されているときに表示情報を与えるために第２のＤＶＩコネクタとインターフェースするように動作するディスプレイモニタを備えている請求項３記載の情報処理システム。
【請求項９】
グラフィックコンポーネントからＤＶＯ信号として表示情報を生成し、
ＤＶＯ信号を第１または第２のＴＭＤＳ送信機の一方へ選択的に提供し、
第１のＴＭＤＳ送信機からの表示情報をハウジングに結合されているＤＶＩコネクタに送信し、
第２のＴＭＤＳ送信機からの表示情報をドッキングステーションに結合されたＤＶＩコネクタに送信する情報処理システムから表示情報を与える方法。
【請求項１０】
さらに、ハウジングのＤＶＩコネクタをプロジェクタに対してインターフェースする請求項９記載の方法。
【請求項１１】
さらに、ドッキングステーションＤＶＩコネクタをディスプレイモニタに対してインターフェースする請求項９記載の方法。
【請求項１２】
選択的なＤＶＯ信号の提供はさらに、
ハウジングがドッキングステーションに結合されているか否かを決定し、
ハウジングがドッキングステーションに結合されていない場合には第１のＴＭＤＳ送信機を選択し、
ハウジングがドッキングステーションに結合されている場合には第２のＴＭＤＳ送信機を選択する請求項９記載の方法。
【請求項１３】
ハウジングがドッキングステーションに結合されているか否かの決定はさらに、ハウジングのドッキングステーションへの挿入または取外しによるスイッチの付勢を含んでいる請求項１２記載の方法。
【請求項１４】
選択的なＤＶＯ信号の提供はさらに、
ＤＶＯ信号をマルチプレクサに通信し、
マルチプレクサからのＤＶＯ信号出力をハウジングのドッキングステーションへの挿入または取外しによるスイッチの付勢に基づいて第１のＴＭＤＳ送信機または第２のＴＭＤＳ送信機へ切換えるステップを含んでいる請求項１３記載の方法。
【請求項１５】
グラフィックコンポーネントはグラフィックプロセッサ装置を備えている請求項１４記載の方法。
【請求項１６】
グラフィックコンポーネントはグラフィックおよびメモリ制御装置ハブを備えている請求項１４記載の方法。
【請求項１７】
ＤＶＩ信号の出力を管理するシステムにおいて、
表示情報を有するＤＶＯ信号を受取るように動作するマルチプレクサと、
マルチプレクサとインターフェースされ、情報処理システムハウジングにおいてＤＶＩコネクタに表示情報を出力するように動作する第１のＴＭＤＳ送信機と、
マルチプレクサとインターフェースされ、ドッキングステーションにおいてＤＶＩコネクタにドッキングコネクタを通して表示情報を出力するように動作する第２のＴＭＤＳ送信機と、
マルチプレクサ出力セレクタとを具備し、前記マルチプレクサは情報処理システムがドッキングステーションに結合されていない場合には第１のＴＭＤＳセレクタにＤＶＯ信号を供給し、情報処理システムがドッキングステーションに結合されている場合には第２のＴＭＤＳセレクタにＤＶＯ信号を供給するように動作するシステム。
【請求項１８】
マルチプレクサと、第１および第２のＴＭＤＳ送信機とは用途特定集積回路中に集積されている請求項１７記載のシステム。
【請求項１９】
さらに、マルチプレクサとインターフェースされてＤＶＯ信号を出力するように動作するグラフィックおよびメモリ制御装置ハブを備えている請求項１７記載のシステム。
【請求項２０】
さらに、マルチプレクサとインターフェースされてＤＶＯ信号を出力するように動作するグラフィックプロセッサ装置を備えている請求項１７記載のシステム。
【請求項２１】
ＤＶＩ信号の出力を管理するシステムにおいて、
表示情報を有するＤＶＯ信号を受取り、情報処理システムハウジングにおいてＤＶＩコネクタに表示情報を出力するように動作するＴＭＤＳ送信機と、
ＴＭＤＳ送信機とインターフェースされ、ＴＭＤＳ送信機により出力された表示情報を、情報処理システムハウジングと関連するＤＶＩコネクタまたはドッキングコネクタと関連するＤＶＩコネクタへ切換えるように動作するマルチプレクサと、
マルチプレクサ出力セレクタとを具備し、
このマルチプレクサ出力セレクタは情報処理システムがドッキングステーションに結合されない場合にはハウジングのＤＶＩコネクタを選択し、情報処理システムがドッキングステーションに結合されている場合にはドッキングモジュールのコネクタを選択するように動作するシステム。
【請求項２２】
ＴＭＤＳ送信機とマルチプレクサとは用途特定集積回路中に集積されている請求項２１記載のシステム。
【発明の詳細な説明】
【技術分野】
【０００１】
本発明は、一般的に情報表示の分野に関し、特にデジタルビデオインターフェースディスプレイ信号の情報処理システムのネイチブおよびドッキングサポートのためのシステムおよび方法に関する。
【背景技術】
【０００２】
情報の価値および使用は増加を続けており、個人およびビジネスでは情報を処理し、記憶するための付加的な方法が求められている。ユーザに利用可能な１つのオプションは情報処理システムである。情報処理システムは一般的に情報またはデータをビジネス、個人用その他の目的で処理し、編集し、記憶し、および、または通信して、それによりユーザが情報の価値を利用できるようにする。技術および情報処理の必要性および要求は、異なったユーザまたは異なった応用によって変化しているから、情報処理システムもまたどのような情報が処理されるか、情報がどのように処理されるか、どれだけの量の情報が処理され、記憶され、または通信されるかに応じて変化している。情報処理システムの変化は、情報処理システムに対して汎用として、或いは財務トランザクション処理、航空機予約、企業データの記憶、グローバル通信のような特定のユーザまたは特定の使用のために構成されることを可能にしている。さらに、情報処理システムは、情報を処理し、編集し、通信するように構成されることのできる種々のハードウエアおよびソフトウエアコンポーネントを含むことができ、また、１以上のコンピュータシステム、データ記憶システム、ネットワークシステムを含んでいてもよい。
【発明の開示】
【発明が解決しようとする課題】
【０００３】
情報処理システムのハードウエアおよびソフトウエアコンポーネントに利用される技術が進歩しているので、ユーザに与えられる情報の量および形式も数および複雑性において増加し、結果的に高解像度のディスプレイの要求を増加させている。情報処理システムから高解像度ディスプレイへの情報提供に関連する１つの困難な問題は、高い解像度はアナログＶＧＡ標準方式の容量を増加させる高速レートで多量の表示情報を転送する傾向があることである。消費者のディスプレイ品質に対する要求を満足させるために、情報処理システムの製造業者はデジタルビデオインターフェース（ＤＶＩ）標準方式の実行を開始しなければならない。典型的にＤＶＩは、ディスプレイに転送するための直列信号を出力する転移の最小化された差動信号（Transition Minimized Differential Signaling ：ＴＭＤＳ）送信機にデジタルビデオ信号（ＤＶＯ）としてグラフィックメモリ制御装置ハブ（ＧＭＣＨ）またはグラフィックプロセッサ装置（ＧＰＵ）で発生される。ＴＭＤＳ信号は１．６５ＧＢ／ｓの比較的高い速度で通信され、情報処理システムからディスプレイへのＴＭＤＳ信号の通信において重要と考えられる信号の完全性を与える。
【０００４】
ポータブルまたはノートブック型情報処理システムにおけるＤＶＩの構成で生じる１つの困難な問題は、システム自体にＤＶＩコネクタを設けるか、ドッキングステーションにコネクタを設けるかの選択である。典型的にポータブル情報処理システムのユーザは単一のコネクタを通って情報処理システムに接続するドッキングステーションを介して外部ディスプレイとインターフェースしている。しかしながら、状況によってはポータブル情報処理システムのユーザは表示中、プロジェクタと接続するように情報処理システム自体上のＤＶＩコネクタを希望する。一般的に、デージーチェインは、送信機から情報処理システム上のＤＶＩコネクタにＴＭＤＳ信号を導き、それからその信号はドッキングステーションのＤＶＩコネクタに導かれるので、過度の信号の完全性の劣化が生じ、そのためサポートする情報処理システムとドッキングステーション上の別々のＤＶＩコネクタは各ＤＶＩコネクタに対して別々の送信機を必要とする傾向があり、ドッキングおよびアンドッキング構造のためにＴＭＤＳポートから表示されるべき同じディスプレイ表面データを与えるためにさらに複雑なソフトウエアが必要となる。しかしながら、別々の送信機の使用はポータブル情報処理システムの使用するスペースを増加させてコストを増加させ、付加的なＴＭＤＳ送信機に費用がかかり、電力消費を増加させる。
【０００５】
したがって、価格を低下させ、複雑性を減少させたネイチブおよびドッキングステーションＤＶＩコネクタをサポートするシステムおよび方法が必要とされている。
【課題を解決するための手段】
【０００６】
本発明によれば、ネイチブおよびドッキングステーションコネクタに表示情報を供給するために従来の方法およびシステムに関連する欠点および問題を実質上減少させた方法およびシステムが提供される。表示情報は情報処理システムとドッキングステーションとの結合または結合解除に基づいて第１または第２のＴＭＤＳ送信機と自動的に選択的に通信して、情報処理システムのハウジングにおけるネイチブＤＶＩコネクタまたはドッキングステーションに対するドッキングステーションＤＶＩコネクタをサポートする。
【０００７】
さらに詳細に説明すると、ＤＶＩ管理システム用途特定集積回路は第１のネイチブＴＭＤＳ送信機および第２のドッキングＴＭＤＳ送信機とインターフェースされたマルチプレクサを有する。このマルチプレクサは、情報処理システムの処理コンポーネントにより発生された表示情報を受信して、ＤＶＯ信号としてＧＭＣＨまたはＧＰＵのようなグラフィックコンポーネントにより出力する。マルチプレクサは、情報処理システムがドッキングステーションに結合されていない場合にはネイチブＤＶＩコネクタに出力するように第１のネイチブＴＭＤＳ送信機に表示情報を与える。マルチプレクサは、情報処理システムがドッキングステーションに結合されている場合にはドッキングコネクタを通ってドッキングステーションＤＶＩコネクタに出力するように第２のドッキングＴＭＤＳ送信機に表示情報を与える。マルチプレクサは、マルチプレクサ出力セレクタとしてドッキングおよびアンドッキングセレクタ信号を使用することにより第１および第２のＴＭＤＳ送信機を自動的に切換える。
【０００８】
本発明は多くの重要な技術的利点を提供する。重要な技術的利点の１例はネイチブおよびドッキングステーションコネクタが同じＤＶＯ信号によりサポートされて、そのため情報処理システムのデイスプレイソフトウエアがドックおよびアンドック形態に対してＴＭＤＳベースのポートから同じディスプレイ表面情報の表示に対して影響を受けないことである。スペースおよびパワー消費に対する影響を最小にし、ドッキングステーションＴＭＤＳ送信機がドッキングコネクタの最小の付加的ピンを通って良好な信号の完全性を有してドッキングステーションに表示情報を提供する。ＴＭＤＳ送信機間の自動スイッチングはマルチプレクサ出力を切換えるためにＤＶＩ管理システムに供給された既存のドッキングおよびアンドッキング選択信号により行われる。
【発明を実施するための最良の形態】
【０００９】
本発明およびその多くの目的、特徴、および利点は、添付図面を参照にした以下の詳細な説明により当業者には明白であろう。図面において同じ参照符号は同様の素子を示している。  
ポータブル情報処理システムおよび関連するドッキングステーションのためのネイチブおよびドッキングＤＶＩコネクタサポートは、情報処理システムがドッキングステーションに結合されているか否かに基づいて第１または第２のＴＭＤＳ送信機を自動選択することによって行われる。この開示の目的に対して、情報処理システムは、ビジネス、科学、制御、その他の目的のために、任意の形態の情報、インテリジェンス、またはデータを計算し、分類し、処理し、送信し、受信し、検索し、発生し、切替え、記憶し、表示し、明示し、検出し、記録し、再生し、取扱い、利用するように動作することのできる任意の手段または手段の集合を含んでいてもよい。例えば、情報処理システムは、パーソナルコンピュータ、ネットワーク記憶装置、または、任意の適当な装置であってもよく、種々の大きさ、形状、性能、機能性、および価格のものであってもよい。情報処理システムは、ランダムアクセイメモリ（ＲＡＭ）、中央処理装置（ＣＰＵ）のような１以上の処理リソース、またはハードウエアまたはソフトウエア制御論理装置、ＲＯＭ、および、またはその他の形式の不揮発性メモリを含んでいてもよい。情報処理システムの付加的な部品としては１以上のディスクドライブ、外部装置と通信するための１以上のネットワークポート、ならびにキーボード、マウス、およびビデオディスプレイのような種々の入力、出力（Ｉ／Ｏ）装置が含まれる。情報処理システムはまた、種々のハードウエア間の通信を伝送するように動作する１以上のバスを含んでいる。
【００１０】
図１を参照すると、ポータブル情報処理システム10およびドッキングステーション12は共通のＤＶＯ信号からネイチブＤＶＩコネクタ14またはドッキングステーションＤＶＩコネクタ16をサポートするように構成されている。ネイチブＤＶＩコネクタ14は、ポータブル情報処理システム10がドッキングステーション12に結合されていないとき、プロジェクタ18のような表示装置にアクセス可能な表示情報を与える。ドッキングステーションＤＶＩコネクタ16は、ポータブル情報処理システム10がドッキングステーション12に結合されるとき、ディスプレイモニタ20のような表示装置にアクセス可能な表示情報を与える。ドッキングステーションＤＶＩコネクタ16から与えられた表示情報はポータブル情報処理システム10に関係するドッキングステーションコネクタ22からドッキングステーション12に関連するドッキングステーションコネクタ24に通知され、その後ドッキングステーションＤＶＩコネクタ16から出力される。ドッキングステーションコネクタ22および24の結合はポータブル情報処理システム10に信号を与えて表示情報出力をＤＶＩコネクタ14からＤＶＩコネクタ16へ切換える。ドッキングステーションコネクタ22および24の結合を解除すると、ポータブル情報処理システム10に信号が与えられて表示情報出力をＤＶＩコネクタ16からＤＶＩコネクタ14へ切換える。
【００１１】
図２を参照すると、ネイチブおよびドッキングステーションコネクタの間の表示情報出力の選択を管理するＤＶＩ管理システム26の１実施形態が示されている。示された実施形態において、ＤＶＩ管理システム26は用途特定集積回路（ＡＳＩＣ）として単一の部品に集積されている。表示情報はＣＰＵで動作しているアプリケーションのような情報処理システムの処理コンポーネントによって発生され、グラフィックおよびメモリ制御装置ハブ（ＧＭＣＨ）またはグラフィックプロセッサ装置（ＧＰＵ）のようなグラフィックコンポーネント28からＤＶＯ信号として出力される。ＤＶＯ信号はＤＶＩ管理システム26のマルチプレクサ30に通知される。マルチプレクサ30は、ドッキングコネクタ22および24の結合または結合解除の検出から受取られるドック／アンドックセレクタ信号に基づいてＤＶＯ信号を第１のネイチブＴＭＤＳ送信機32または第２のドッキングＴＭＤＳ送信機34に選択的に通知する。したがって、単一のＤＶＯ信号は、情報処理システムにおける表示情報の発生に対して最小のインパクトでネイチブおよびドッキングステーションＤＶＩコネクタの両者をサポートする。
【００１２】
動作において、情報処理システム10とドッキングステーション12とが結合されていないことを指示するドック／アンドックセレクタ信号により、ＤＶＯ信号はマルチプレクサ30を通って第１のＴＭＤＳ送信機32に送られ、情報処理システムのハウジングにおけるネイチブＤＶＩコネクタ14に出力する。したがってユーザはプロジェクタまたはモニタのような表示装置を直接情報処理システムに接続してＤＶＯ信号の表示情報を提供することができる。情報処理システムがドッキングステーションに挿入されている場合には、ドッキングステーションコネクタはセレクタ信号36をマルチプレクサ30に送り、マルチプレクサ30から第１のネイチブＴＭＤＳ送信機32への代わりに第２のドッキングＴＭＤＳ送信機34へ送るように出力を切換える。第２のドッキングＴＭＤＳ送信機34は、信号の完全性を維持するためにドッキングコネクタ22および24のピンを通って表示情報を与え、ドッキングステーションとインターフェースされた外部ディスプレイモニタにより使用される場合のように、ドッキングステーションのＤＶＩコネクタ16に表示情報を出力する。ドッキングステーションセレクタはマルチプレクサ30を第１のＴＭＤＳ送信機と第２のＴＭＤＳ送信機との間で切換えるから、同じＤＶＯ信号がネイチブおよびドッキングステーションＤＶＩコネクタをサポートして情報処理システムまたはグラフィックコンポーネント28の動作に与える影響を最小にする。
【００１３】
別の実施形態では、ＤＶＩ管理システム26からＤＶＩコネクタ14および16への別々のＴＭＤＳ出力はＴＭＤＳ送信機とマルチプレクサ30の種々の配置によりサポートされる。例えば、図３を参照すると、グラフィックコンポーネント28はＤＶＯ信号を直接ＤＶＩ管理システム26のＴＭＤＳ送信機32へ出力する。ＴＭＤＳ送信機32からマルチプレクサ30への出力は、情報処理システムとドッキングモジュールの結合および非結合に基づいて情報処理システムのハウジングのコネクタ14とドッキングモジュールのコネクタ16との間で選択的に切換えられる。別の実施形態では、図２または図３のＤＶＩ管理システム26は示されている別々のコンポーネントの代わりに単一のコンポーネントとしてグラフィックコンポーネント28中に含まれてもよい。
【００１４】
本発明はここで詳細に説明されたが、種々の変形、置換、変更が特許請求の範囲に記載された本発明の技術的範囲を逸脱することなく行われることができることを理解すべきである。
【図面の簡単な説明】
【００１５】
【図１】ネイチブおよびドッキングコネクタをサポートするように構成されたポータブル情報処理システムおよびドッキングステーションの概略的説明図。
【図２】ネイチブおよびドッキングステーションＤＶＩコネクタサポートを管理する第１の実施形態のシステムのブロック図。
【図３】ネイチブおよびドッキングステーションＤＶＩコネクタサポートを管理する第２の実施形態のシステムのブロック図。
【図１】
2005129039.tif 000003
【図２】
2005129039.tif 000004
【図３】
2005129039.tif 000005